(57)【要約】【課題】２つのケースを一体化する際に、ケースの外形を大型化しなくても、双方のケースの嵌合部同士を強固に嵌合させる。【解決手段】複数の電池４０を上面に載置したロアケース２０の各被嵌合部２２の凹部２５に、アッパーケース３０の各脚部３２の嵌合部３５を、ロアケース２０の矩形枠２３の上端側から、各脚部３２の嵌合量規制リブ３８がロアケース２０の矩形枠２３の上端に当接するまで挿入する。すると、アッパーケース３０の各嵌合部３５の係止部３６が、ロアケース２０の各凹部２５の係止部２６の係止爪２８に係止される。これにより、アッパーケース３０の嵌合部３５がロアケース２０の被嵌合部２２に嵌合されて、一体化されたロアケース２０の矩形枠２３とアッパーケース３０の矩形枠３３とで複数の電池４０が挟持される。【選択図】図１
2019160504.tif 000002
【特許請求の範囲】
【請求項１】
第１の基台に形成した凹部による第１の嵌合部に第１の係止部を形成した第１のケースと、
第２の基台に突設した脚部の先端の、前記第１の嵌合部に対応する断面形状の第２の嵌合部に、該第２の嵌合部の前記第１の嵌合部への嵌合により前記第１の係止部と対向し係止される第２の係止部を形成し、前記第２の嵌合部の前記第１の嵌合部への嵌合により前記第１のケースと一体化されて、前記第１の基台と前記第２の基台とが協働して被保持物を保持する第２のケースと、
を備えるケースユニット。
【請求項２】
前記第１の嵌合部は前記第１の基台の四隅にそれぞれ形成されており、前記第２の嵌合部は前記第２の基台の四隅にそれぞれ形成されている請求項１記載のケースユニット。
【請求項３】
前記第１のケース及び前記第２のケースは、電池を前記被保持物として挟持する電池パックのロアケース及びアッパーケースであり、前記第１の基台及び前記第２の基台は、前記電池に当接する前記ロアケース及び前記アッパーケースのリブを含んでいる請求項１又は２記載のケースユニット。
【請求項４】
前記第１の嵌合部及び前記第２の嵌合部の少なくとも一方は、前記第１の嵌合部に対する前記第２の嵌合部の嵌合量を、前記第１の係止部と前記第２の係止部とが係止されるまでのストロークに規制する嵌合量規制部を有している請求項１、２又は３記載のケースユニット。
【請求項５】
前記第１の嵌合部及び前記第２の嵌合部のうち一方は、前記第１の嵌合部に対する前記第２の嵌合部の嵌合方向に延在し、該嵌合方向及び前記第１の係止部と前記第２の係止部との対向方向と交差する方向に深さを有する案内溝を有しており、前記第１の嵌合部及び前記第２の嵌合部のうち他方は、前記嵌合方向に延在して前記他方から前記対向方向と交差する方向に突設され、前記第１の嵌合部に対する前記第２の嵌合部の嵌合時に前記案内溝に挿入される案内突起を有している請求項１、２、３又は４記載のケースユニット。
【発明の詳細な説明】
【技術分野】
【０００１】
本発明は、嵌合部同士の嵌合により２つのケースを一体化して構成されるケースユニットに関する。
【背景技術】
【０００２】
例えば、複数の電池を上下のケースで挟持する電池パックでは、上下のケースの嵌合部同士を嵌合させることで、上下のケースで各電池を挟持した状態を保つようにしている。
【０００３】
ところで、嵌合部の嵌合力は、嵌合部の構造や大きさによって左右される。このため、上述した電池パックにおいて、電池の大型化や高容量化に伴い、電池の挟持のために上下のケースの嵌合部に強固な嵌合力が求められる場合は、両ケースの嵌合部に嵌合状態が解除されにくくなるような構造を採用したり、嵌合部を大型化する必要が生じる。
【０００４】
ここで、嵌合部の嵌合状態が解除されにくい構造は、例えば、他方のケースよりも一回り大きい一方のケースの周面を他方のケースの周面に被せて両ケースを一体化する際に、他方のケースの嵌合部に一方のケースの嵌合部が嵌合される構造にも存在する。
【０００５】
この構造では、一方のケースの嵌合部が他方のケースの嵌合部に嵌合されると、他方のケースのロック爪が一方のケースの嵌合部に嵌合方向の上流側から係止されて、両ケースの嵌合部同士が強固に嵌合される（例えば、特許文献１）。
【先行技術文献】
【特許文献】
【０００６】
【特許文献１】特開平７−２１２９３８号公報
【発明の概要】
【発明が解決しようとする課題】
【０００７】
上述した構造では、一方のケースが他方のケースよりも一回り大きいので、両ケースを一体化する際に双方のケースの周面が対向しつつ相対移動して、それぞれの嵌合部同士を嵌合させることができる。
【０００８】
言い換えると、両ケースを一体化する際に双方のケースの嵌合部同士を嵌合させるためには、一方のケースを他方のケースよりも一回り大きくしなければならない。つまり、容量としては他方のケースの大きさで十分なケースユニットの外形を、嵌合部同士の嵌合のために、他方のケースよりも一回り大きい一方のケースの大きさに合わせて大型化しなければならない。
【０００９】
本発明は前記事情に鑑みなされたもので、本発明の目的は、２つのケースを一体化する際に、ケースの外形を大型化しなくても、双方のケースの嵌合部同士を強固に嵌合させることができるケースユニットを提供することにある。
【課題を解決するための手段】
【００１０】
上記目的を達成するため本発明の第１の態様によるケースユニットは、
第１の基台に形成した凹部による第１の嵌合部に第１の係止部をそれぞれ形成した第１のケースと、
第２の基台に突設した脚部の先端の、前記第１の嵌合部に対応する断面形状の第２の嵌合部に、該第２の嵌合部の前記第１の嵌合部への嵌合により前記第１の係止部と対向し係止される第２の係止部をそれぞれ形成し、前記第２の嵌合部の前記第１の嵌合部への嵌合により前記第１のケースと一体化されて、前記第１の基台と前記第２の基台とが協働して被保持物を保持する第２のケースと、
を備える。
【００１１】
本発明の第１の態様によるケースユニットによれば、第２の嵌合部が、凹部により構成された第１の嵌合部に対応する断面形状を有している。このため、第１のケースと第２のケースとを一体化した際に、第１の嵌合部と嵌合した第２の嵌合部が第１のケースの外側に張り出すことがない。
【００１２】
よって、第１の嵌合部と第２の嵌合部とを嵌合させるために、第１のケース及び第２のケースのいずれか一方を他方よりも一回り大きくして、双方のケースの周面同士を対向して位置させる必要がない。
【００１３】
また、本発明の第１の態様によるケースユニットによれば、第１の嵌合部と第２の嵌合部との嵌合により第１のケースと第２のケースとを一体化すると、第１の係止部と第２の係止部とが対向し係止されて、第１の嵌合部と第２の嵌合部とが嵌合状態に保持される。
【００１４】
よって、一体化した第１のケースの第１の嵌合部と第２のケースの第２の嵌合部とが、第１の係止部と第２の係止部との係止により嵌合状態に保たれる。
【００１５】
したがって、２つのケースを一体化する際に、ケースの外形を大型化しなくても、双方のケースの嵌合部同士を強固に嵌合させることができる。
【００１６】
なお、本発明の第１の態様によるケースユニットにおいては、本発明の第２の態様によるケースユニットのように、前記第１の嵌合部は前記第１の基台の四隅にそれぞれ形成されており、前記第２の嵌合部は前記第２の基台の四隅にそれぞれ形成されている構成としてもよい。
【００１７】
本発明の第２の態様によるケースユニットによれば、第１及び第２の嵌合部を第１及び第２の基台の四隅にそれぞれ形成すると、第１及び第２の嵌合部は、第１及び第２の基台の各四隅で接続されて互いに異なる方向に延在する２つの面を含んで構成される。この２つの面は、一方の面が他方の面の補強用リブとして機能する。
【００１８】
このため、第１のケースと第２のケースとを一体化した際に、第１の嵌合部と嵌合した第２の嵌合部が第１のケースの外側に張り出さないように、第１及び第２の嵌合部を第１及び第２のケースの内外方向に薄肉に構成しても、各嵌合部に必要な強度を持たせることができる。
【００１９】
また、本発明の第３の態様によるケースユニットは、本発明の第１又は第２の態様によるケースユニットにおいて、前記第１のケース及び前記第２のケースは、電池を前記被保持物として挟持する電池パックのロアケース及びアッパーケースであり、前記第１の基台及び前記第２の基台は、前記電池に当接する前記ロアケース及び前記アッパーケースのリブを含んでいる。
【００２０】
本発明の第３の態様によるケースユニットによれば、電池と共に電池パックを構成するロアケース及びアッパーケースが、本発明の第１又は第２の態様によるケースユニットの第１のケース及び第２のケースによって構成される。
【００２１】
そして、第１の嵌合部と第２の嵌合部との嵌合によりロアケースとアッパーケースとが一体化されると、ロアケースのリブとアッパーケースのリブとで電池が挟持される。
【００２２】
このため、電池の大型化や高容量化に伴い、電池の挟持のためにロアケースとアッパーケースとの嵌合部に強固な嵌合力が求められた場合に、ケースの外形を大型化することなく、嵌合状態が解除されにくくなるような構造を嵌合部に採用したり、嵌合部を大型化することができる。
【００２３】
また、電池の電極からガス等が発生した場合は、ロアケースやアッパーケースのリブが電池の周辺に構成する空気流路によって、ガスの排気流路を確保することもできる。
【００２４】
さらに、本発明の第４の態様によるケースユニットは、本発明の第１、第２又は第３の態様によるケースユニットにおいて、前記第１の嵌合部及び前記第２の嵌合部の少なくとも一方は、前記第１の嵌合部に対する前記第２の嵌合部の嵌合量を、前記第１の係止部と前記第２の係止部とが係止されるまでのストロークに規制する嵌合量規制部を有している。
【００２５】
本発明の第４の態様によるケースユニットによれば、本発明の第１、第２又は第３の態様によるケースユニットにおいて、第１の嵌合部に対する第２の嵌合部の嵌合量が、第１の係止部と第２の係止部とが係止されて第１の嵌合部と第２の嵌合部とが嵌合される最小のストロークまでに、嵌合量規制部によって規制される。
【００２６】
このため、第１の係止部と第２の係止部とが係止状態を過ぎて両者間に遊びが生じるストロークまで第１の嵌合部と第２の嵌合部とが嵌合されることが防がれる。よって、第１の係止部と第２の係止部との係止による第１の嵌合部と第２の嵌合部との嵌合状態の保持を、嵌合量規制部による第１の嵌合部と第２の嵌合部との嵌合量の規制により、確実に実現することができる。
【００２７】
また、本発明の第５の態様によるケースユニットは、本発明の第１、第２、第３又は第４の態様によるケースユニットにおいて、前記第１の嵌合部及び前記第２の嵌合部のうち一方は、前記第１の嵌合部に対する前記第２の嵌合部の嵌合方向に延在し、該嵌合方向及び前記第１の係止部と前記第２の係止部との対向方向と交差する方向に深さを有する案内溝を有しており、前記第１の嵌合部及び前記第２の嵌合部のうち他方は、前記嵌合方向に延在して前記他方から前記対向方向と交差する方向に突設され、前記第１の嵌合部に対する前記第２の嵌合部の嵌合時に前記案内溝に挿入される案内突起を有している。
【００２８】
本発明の第５の態様によるケースユニットによれば、本発明の第１、第２、第３又は第４の態様によるケースユニットにおいて、第１の嵌合部に対する第２の嵌合部の嵌合時に案内溝に案内突起が挿入されて、第２の嵌合部が第１の嵌合部に対して第１の係止部と第２の係止部との対向方向に相対移動できなくなる。
【００２９】
このため、第１の嵌合部に嵌合された第２の嵌合部が第１の嵌合部に対して、第１の係止部と第２の係止部との対向方向において離間する方向に相対移動するのを防いで、第１の係止部と第２の係止部とを確実に係止させることができる。
【発明の効果】
【００３０】
本発明によれば、２つのケースを一体化する際に、ケースの外形を大型化しなくても、双方のケースの嵌合部同士を強固に嵌合させることができる。
【図面の簡単な説明】
【００３１】
【図１】（ａ）は本発明の一実施形態に係る電池パックの概略構成を示す斜視図、（ｂ）は（ａ）のアッパーケースの嵌合部が嵌合されるロアケースの被嵌合部を拡大して示す斜視図である。
【図２】（ａ）は図１（ａ）のロアケースの各被嵌合部に嵌合されるアッパーケースの各嵌合部を先端側から見た斜視図、（ｂ）は（ａ）の嵌合部の係止爪と図１（ｂ）の被嵌合部の係止片との係止状態を拡大して示す断面図である。
【図３】（ａ）は図１（ａ）のロアケースの各被嵌合部にアッパーケースの各嵌合部を嵌合してロアケースとアッパーケースとを一体化した状態を示す斜視図、（ｂ）は（ａ）のアッパーケースの嵌合部とロアケースの被嵌合部との嵌合部分を拡大して示す斜視図である。
【発明を実施するための形態】
【００３２】
以下、本発明の一実施形態について、図面を参照して説明する。各図面を通じて同一もしくは同等の部位や構成要素には、同一もしくは同等の符号を付している。
【００３３】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００３４】
図１（ａ）は本発明の一実施形態に係る電池パックの概略構成を示す斜視図である。図１（ａ）に示す本実施形態の電池パック１０（請求項中のケースユニットに相当）は、ロアケース２０（請求項中の第１のケースに相当）及びアッパーケース３０（請求項中の第２のケースに相当）を有している。
【００３５】
ロアケース２０及びアッパーケース３０は嵌合されて一体化され、図中想像線で示す電池４０（請求項中の被保持物に相当）を挟持する。電池４０は、例えば、絶縁材を介して複数積層した状態で、ロアケース２０及びアッパーケース３０により挟持することができる。
【００３６】
電池パック１０のロアケース２０は、台枠２１（請求項中の第１の基台に相当）と、台枠２１に形成された４本の被嵌合部２２（請求項中の第１の嵌合部に相当）とを有している。
【００３７】
台枠２１は、矩形枠２３と、矩形枠２３の内側の空間に架設された複数のリブ２４とを有している。矩形枠２３は、電池４０よりも大きい外形を有している。ロアケース２０及びアッパーケース３０により挟持する電池４０は、ロアケース２０の上面における矩形枠２３よりも内側のリブ２４の部分に載置される。
【００３８】
各被嵌合部２２は、矩形枠２３の四隅にそれぞれ形成されている。各被嵌合部２２は、図１（ｂ）の斜視図に拡大して示すように、矩形枠２３の四隅を外周側から切り欠いた略Ｌ字状の凹部２５と、凹部２５内に配置された２つの係止部２６，２６（請求項中の第１の係止部に相当）と、矩形枠２３に沿って凹部２５の両端からそれぞれ穿設した案内溝２７，２７とを有している。
【００３９】
係止部２６は、矩形枠２３の外側に露出する凹部２５の２面にそれぞれ延設された片持ちのばね片である。凹部２５の各面の係止部２６は、矩形枠２３の上端から下方に向けて延出されている。係止部２６は、矩形枠２３の外周側に露出する外面に、係止部２６の先端側（矩形枠２３の下端側）から基端側（矩形枠２３の上端側）への移動を規制する係止爪２８を有している。
【００４０】
案内溝２７は、凹部２５の両側面に、矩形枠２３の上端から下端に亘って、被嵌合部２２に対する後述のアッパーケース３０の嵌合部３５の嵌合方向Ｘに沿って直線状に形成されている。この案内溝２７は、凹部２５の各側面から一定の深さで形成されている。案内溝２７の深さ方向Ｚは、被嵌合部２２の係止部２６と、被嵌合部２２に嵌合部３５を嵌合した際に係止部２６に係止される後述の嵌合部３５の係止部３６とが対向する方向Ｙと直交している。
【００４１】
図１（ａ）に示すように、電池パック１０のアッパーケース３０は、天枠３１（請求項中の第２の基台に相当）と、天枠３１から突設された４本の脚部３２とを有している。
【００４２】
天枠３１は、矩形枠３３と、矩形枠３３の内側の空間に架設された複数のリブ３４とを有している。矩形枠３３は、台枠２１の矩形枠２３と同じ外形を有している。アッパーケース３０の下面は、上面に電池４０を載置したロアケース２０にアッパーケース３０を嵌合してアッパーケース３０と一体化した際に、電池４０の上面に当接する。
【００４３】
各脚部３２は、矩形枠３３の下面側において、矩形枠３３の四隅からそれぞれ突設されている。即ち、各脚部３２は、矩形枠３３の各隅部で接続される２つの面の成分を含んでいる。各面の成分は、互いに直交する方向にそれぞれ延在している。図２（ａ）の斜視図に示すように、各脚部３２は、嵌合部３５（請求項中の第２の嵌合部に相当）と、嵌合部３５に配置された２つの係止部３６，３６（請求項中の第２の係止部に相当）と、案内突起３７と、嵌合量規制リブ３８（請求項中の嵌合量規制部に相等）とを、先端側に有している。
【００４４】
嵌合部３５は、各脚部３２の先端にそれぞれ形成されている。嵌合部３５は、略Ｌ字状の断面を有しており、図１（ｂ）に示すロアケース２０の各被嵌合部２２にそれぞれ嵌合される。このため、嵌合部３５は、ロアケース２０の矩形枠２３の凹部２５に対応する断面形状を有している。
【００４５】
略Ｌ字状の断面形状の嵌合部３５は、矩形枠３３の各隅部で接続される２つの面の成分を含んでいる。この２つの面成分は、一方が他方に対する補強用リブとして機能する。
【００４６】
図２（ａ）に示す係止部３６は、嵌合部３５の裏側の２面にそれぞれ形成されている。嵌合部３５の裏側の２面は、嵌合部３５を図１（ｂ）に示すロアケース２０の被嵌合部２２に嵌合した状態で、凹部２５の係止部２６を延設した２面にそれぞれ対向する。
【００４７】
図２（ａ）に示すように、係止部３６は、脚部３２の先端（下端）から基端（上端）に向かうに連れて凹部２５の内側に延出する爪状の突起である。係止部３６は、嵌合部３５を図１（ｂ）に示すロアケース２０の被嵌合部２２に嵌合した状態で、図２（ｂ）の断面図に示すように、ロアケース２０の係止部２６の係止爪２８に係止される。
【００４８】
図２（ａ）に示す案内突起３７は、嵌合部３５の両側面に、脚部３２の先端から基端に亘って、ロアケース２０の被嵌合部２２に対する嵌合部３５の嵌合方向Ｘに沿って直線状に形成されている。案内突起３７は、嵌合部３５の係止部３６と、嵌合部３５を被嵌合部２２に嵌合した際に係止部３６に係止される被嵌合部２２の係止部２６との対向方向Ｙと直交している。案内突起３７は、嵌合部３５を図１（ｂ）に示すロアケース２０の被嵌合部２２に嵌合する際に、ロアケース２０の案内溝２７に矩形枠２３の上端側から挿入される。
【００４９】
嵌合部３５の案内突起３７が被嵌合部２２の案内溝２７に挿入されると、被嵌合部２２に対する嵌合部３５の、係止部２６と係止部３６との対向方向Ｙへの相対移動が、案内溝２７による案内突起３７の案内によって規制される。
【００５０】
図２（ａ）に示す嵌合量規制リブ３８は、脚部３２の裏側の２面に、嵌合部３５の各係止部３６よりも脚部３２の基端側に連なるように配置されている。嵌合量規制リブ３８は、嵌合部３５を図１（ｂ）に示すロアケース２０の被嵌合部２２に嵌合した状態で、凹部２５よりも内側の矩形枠２３の上端に当接する。
【００５１】
このように構成された本実施形態の電池パック１０を組み付ける際には、電池４０を上面に載置したロアケース２０の各被嵌合部２２の凹部２５に、アッパーケース３０の各脚部３２の嵌合部３５を、ロアケース２０の矩形枠２３の上端側から挿入する。このとき、各脚部３２の２つの案内突起３７を、各被嵌合部２２の２つの案内溝２７にそれぞれ挿入し、嵌合部３５をその断面方向において被嵌合部２２に対し位置合わせする。
【００５２】
そして、各脚部３２の嵌合量規制リブ３８がロアケース２０の矩形枠２３の上端に当接するまで、アッパーケース３０の各嵌合部３５をロアケース２０の各被嵌合部２２の凹部２５に挿入し、アッパーケース３０の嵌合部３５をロアケース２０の被嵌合部２２に嵌合させる。これにより、図３（ａ）の斜視図に示すように、アッパーケース３０がロアケース２０と一体化される。
【００５３】
アッパーケース３０がロアケース２０と一体化されると、ロアケース２０の上面に載置された電池４０の電極及びバスバーが配置される上面には、アッパーケース３０の矩形枠３３の下面が当接する。そして、ロアケース２０の矩形枠２３とアッパーケース３０の矩形枠３３とで電池４０が挟持される。
【００５４】
このため、電池４０のバスバーで接続された電極等からガスが発生した場合は、アッパーケース３０の矩形枠３３やリブ３４の間に構成される空間を排気通路として利用して、電池パック１０の外部に排出できるようにしてもよい。
【００５５】
同様に、ロアケース２０の矩形枠２３やリブ２４の間に構成される空間を排気通路として利用して、電極等から発生したガスを電池パック１０の外部に排出できるようにしてもよい。
【００５６】
なお、アッパーケース３０がロアケース２０に嵌合した状態では、アッパーケース３０の各嵌合部３５の係止部３６が、ロアケース２０の各凹部２５の係止部２６の係止爪２８に対向し係止される。したがって、アッパーケース３０の各嵌合部３５をロアケース２０の各被嵌合部２２の凹部２５から引き抜く方向へのロアケース２０に対するアッパーケース３０の移動が規制される。
【００５７】
また、アッパーケース３０の各嵌合部３５をロアケース２０の各被嵌合部２２の凹部２５にさらに挿入する方向へのロアケース２０に対するアッパーケース３０の移動は、ロアケース２０の矩形枠２３に対するアッパーケース３０の嵌合量規制リブ３８の当接により規制される。
【００５８】
つまり、ロアケース２０の各被嵌合部２２に対するアッパーケース３０の各嵌合部３５の嵌合量は、アッパーケース３０の嵌合量規制リブ３８によって、アッパーケース３０の各嵌合部３５がロアケース２０の各被嵌合部２２に嵌合される嵌合量以内に規制される。
【００５９】
このため、係止部３６，２８の係止によりロアケース２０の各被嵌合部２２とアッパーケース３０の各嵌合部３５とが嵌合した状態を、ロアケース２０の矩形枠２３とアッパーケース３０の嵌合量規制リブ３８との当接によるロアケース２０に対するアッパーケース３０の嵌合量の規制により、確実に保持することができる。
【００６０】
さらに、アッパーケース３０がロアケース２０と一体化された状態では、アッパーケース３０の各脚部３２の嵌合部３５が、図１（ａ），（ｂ）に示すロアケース２０の各被嵌合部２２の凹部２５内に配置される。したがって、各脚部３２の嵌合部３５は、図３（ｂ）の斜視図に拡大して示すように、ロアケース２０の矩形枠２３の外側に突出しない。
【００６１】
そして、各脚部３２の嵌合部３５が各被嵌合部２２の凹部２５内に配置された状態でも、各被嵌合部２２の係止部２６の係止爪２８と嵌合部３５の係止部３６とは、対向するように配置されて互いに係止される。
【００６２】
以上に説明したように、本実施形態の電池パック１０によれば、ロアケース２０の矩形枠２３の四隅に形成した被嵌合部２２の凹部２５に係止部２６を配置し、係止部２６の係止爪２８を、凹部２５に挿入するアッパーケース３０の嵌合部３５の係止部３６を係止させる構成とした。
【００６３】
このため、係止部３６を設けるアッパーケース３０の嵌合部３５と係止部２６を配置するロアケース２０の被嵌合部２２とを対向させるために、ロアケース２０とアッパーケース３０とのうちどちらか一方を他方よりも一回り大きい外形で形成する必要がない。よって、電池パック１０の大きさを大型化しなくても、ロアケース２０の被嵌合部２２とアッパーケース３０の嵌合部３５とを、双方の係止爪２８，３６の係止により強固に嵌合させることができる。
【００６４】
また、本実施形態の電池パック１０によれば、アッパーケース３０がロアケース２０と一体化されると、案内溝２７に案内突起３７が挿入されて、各嵌合部３５の各被嵌合部２２に対する相対移動が規制されて、被嵌合部２２の係止部２６と嵌合部３５の係止部３６とが対向方向Ｙにおいて離間できなくなる。
【００６５】
このため、被嵌合部２２の係止部２６と嵌合部３５の係止部３６とが離間し両係止部２６，３６の係止状態が解除されてしまうのを防ぎ、両係止部２６，３６を確実に係止させることができる。
【００６６】
さらに、アッパーケース３０の矩形枠３３の四隅にそれぞれ設けられた脚部３２の先端の嵌合部３５は、矩形枠３３の各隅部で接続されて一方が他方に対する補強用リブとして機能する２つの面の成分を含んでいる。
【００６７】
このため、ロアケース２０とアッパーケース３０とを一体化した際に、ロアケース２０の被嵌合部２２と嵌合したアッパーケース３０の嵌合部３５がロアケース２０の外側に張り出さないように、被嵌合部２２と嵌合部３５とを薄肉に構成しても、嵌合部３５に必要な強度を持たせることができる。
【００６８】
なお、本実施形態では、ロアケース２０の矩形枠２３の四隅に被嵌合部２２をそれぞれ形成し、アッパーケース３０の矩形枠３３の四隅から突設した各脚部３２にそれぞれ形成した嵌合部３５を、各被嵌合部２２に嵌合させる構成とした。しかし、ロアケース２０やアッパーケース３０の矩形枠２３，３３の四隅でなく、例えば、対角線上の２つの隅部等、矩形枠２３，３３の３つ以下の隅部にそれぞれ形成した被嵌合部２２と嵌合部３５とを嵌合させる構成としてもよい。
【００６９】
また、ロアケース２０の各被嵌合部２２にアッパーケース３０の各嵌合部３５を嵌合させる際に、各被嵌合部２２の案内溝２７に各嵌合部３５の案内突起３７を挿入させる構成は、省略してもよい。同様に、ロアケース２０の各被嵌合部２２にアッパーケース３０の各嵌合部３５を嵌合させる際に、各嵌合部３５の嵌合量規制リブ３８をロアケース２０の矩形枠２３に当接させる構成は、省略してもよい。
【００７０】
さらに、本実施形態では、ロアケース２０の台枠２１やアッパーケース３０の天枠３１を、矩形枠２３，３３とリブ２４，３４とで構成する場合について説明したが、台枠２１や天枠３１を板状の部材により構成してもよい。
【００７１】
また、本実施形態では、電池４０をロアケース２０とアッパーケース３０とで挟持する電池パック１０を例に取って説明した。しかし、本発明は、電池パックのロアケース及びアッパーケース以外にも、２つのケースの嵌合部同士を嵌合させる場合に広く適用可能である。
【００７２】
例えば、それぞれ配電部品を収容したロアケースとアッパーケースとで各ケースの配電部品間を電気的に接続する接続部材を被保持物として保持する電気接続箱等にも、本発明を適用することができる。
【産業上の利用可能性】
【００７３】
本発明は、第１のケースの第１の嵌合部と第２のケースの第２の嵌合部とを嵌合して両ケースにより被保持物を保持するケースユニットに適用して極めて有用である。
【符号の説明】
【００７４】
１０  電池パック（ケースユニット）
２０  ロアケース（第１のケース）
２１  台枠（第１の基台）
２２  被嵌合部（第１の嵌合部）
２３  矩形枠
２４  リブ
２５  凹部
２６  係止部（第１の係止部）
２７  案内溝
２８  係止爪
３０  アッパーケース（第２のケース）
３１  天枠（第２の基台）
３２  脚部
３３  矩形枠
３４  リブ
３５  嵌合部（第２の嵌合部）
３６  係止部（第２の係止部）
３７  案内突起
３８  嵌合量規制リブ（嵌合量規制部）
４０  電池（被保持物）
Ｘ  嵌合方向
Ｙ  係止方向
【図１】
2019160504.tif 000003
【図２】
2019160504.tif 000004
【図３】
2019160504.tif 000005